(57)【要約】【課題】  本発明は、鏡筒部に形成した窓部から挿入したシャッタ装置が、シャッタ支持部に位置して抜け止めされるようにしたシャッタ装置を内蔵したレンズ鏡筒およびこの組立方法を提供すること。【解決手段】  鏡筒部２９には、内部にシャッタ装置２１を支持可能なシャッタ支持部２９ａが形成されると共に、シャッタ支持部２９ａにつながってシャッタ装置２１を外部から挿入可能な溝状の窓部２９ｄが形成され、この窓部２９ｄから挿入してシャッタ支持部２９ａに位置したシャッタ装置２１は、シャッタ支持部２９ａから抜け止めされるようになっている。【選択図】        図１
2006047364.tif 000002
【特許請求の範囲】
【請求項１】
複数のレンズを内部に収納した鏡筒部と、この鏡筒部の前面側に形成されて所定の口径の開口部を有する前面壁と、前記開口部から入射する光を遮蔽可能なシャッタ羽根を有するシャッタ装置とを備え、前記鏡筒部には、内部に前記シャッタ装置を支持可能なシャッタ支持部が形成されると共に、前記シャッタ支持部につながって前記シャッタ装置を外部から挿入可能な溝状の窓部が形成され、この窓部から挿入して前記シャッタ支持部に位置した前記シャッタ装置は、前記シャッタ支持部から抜け止めされることを特徴とするシャッタ装置を内蔵したレンズ鏡筒。
【請求項２】
前記シャッタ装置は、前記シャッタ羽根を支持する支持部材を有し、この支持部材には、外周側に内部が空洞状のアクチュエータ収納部が形成され、前記アクチュエータ収納部の空洞内部には、前記シャッタ羽根を駆動可能なアクチュエータが配設され、前記支持部材には、前記アクチュエータ収納部の内周側に凹状のレンズ嵌合部が形成され、前記窓部から挿入して前記シャッタ支持部に位置した前記シャッタ装置は、前記レンズ嵌合部に前記複数のレンズの内の１つを嵌合させることにより、前記シャッタ支持部から抜け止めされることを特徴とする請求項１記載のシャッタ装置を内蔵したレンズ鏡筒。
【請求項３】
前記複数のレンズは、少なくとも１群、２群レンズからなり、前記前面壁の前記開口部を形成した部分に前記１群レンズを保持し、前記シャッター支持部は、所定寸法の隙間を介して前記前面壁と対向するレンズ支持壁との間に形成され、前記レンズ支持壁に支持した前記２群レンズが前記シャッタ装置の前記レンズ嵌合部に嵌合するようになっていることを特徴とする請求項２記載のシャッタ装置を内蔵したレンズ鏡筒。
【請求項４】
前記２群レンズは、外周側に平坦状の鍔部と、この鍔部の内側に所定寸法の直径と高さで突出するレンズ部とを有し、このレンズ部を前記レンズ支持壁に形成したレンズ支持孔に嵌合支持すると、前記２群レンズの前記レンズ部が、前記レンズ支持孔から前記シャッタ支持部側に突出して前記レンズ嵌合部に嵌合することを特徴とする請求項３記載のシャッタ装置を内蔵したレンズ鏡筒。
【請求項５】
前記シャッタ装置の外周部には、前記シャッタ支持部に抜け止めした前記シャッタ装置の動きを規制するための規制部が形成され、前記シャッタ支持部を形成した部分の前記鏡筒部の内周面には、前記規制部が係合可能な係合部、または前記規制部に係合可能な係合部が形成されていることを特徴とする請求項２乃至４のいずれかに記載のシャッタ装置を内蔵したレンズ鏡筒。
【請求項６】
前記規制部は、前記シャッタ装置の外周部の一部を凸状に突出させて形成され、前記係合部は、前記凸状の規制部が係合可能な凹状に形成され、前記シャッタ支持部に前記抜け止めした前記シャッタ装置は、前記規制部が前記係合部に係合して、回り止めが行われると共に、前記光軸と平行方向のガタ付きが規制されることを特徴とする請求項５記載のシャッタ装置を内蔵したレンズ鏡筒。
【請求項７】
鏡筒部に形成した窓部から内部のシャッタ支持部にシャッタ装置を挿入後、前記シャッタ装置のシャッタ羽根が位置する部分に形成したレンズ嵌合部に、複数のレンズの内の１つを嵌合させることにより、前記シャッタ支持部から前記シャッタ装置が抜け止めされるようにしたことを特徴とするシャッタ装置を内蔵したレンズ鏡筒の組立方法。
【請求項８】
前記鏡筒部には、前面側に形成されて所定の口径の開口部を有する前面壁と、この前面壁に対し所定の隙間の前記シャッタ支持部を介して対向形成したレンズ支持壁とが形成され、前記前面壁の前記開口部を形成した部分に１群レンズを支持して、前記シャッタ支持部に前記シャッタ装置を挿入した後、前記レンズ支持壁に２群レンズを支持すると、前記２群レンズが前記シャッタ装置のレンズ嵌合部に嵌合して前記抜け止めされることを特徴とする請求項７記載のシャッタ装置を内蔵したレンズ鏡筒の組立方法。
【請求項９】
前記シャッタ装置には、規制部が形成され、前記窓部から前記シャッタ支持部に前記シャッタ装置を挿入すると、前記規制部が前記シャッタ支持部の内周面に形成した係合部に係合して前記シャッタ装置の動きが規制されることを特徴とする請求項７、または８記載のシャッタ装置を内蔵したレンズ鏡筒の組立方法。
【発明の詳細な説明】
【技術分野】
【０００１】
本発明は、シャッタ装置を内蔵したレンズ鏡筒およびこの組立方法に係わり、デジタルスチールカメラ等に用いて好適なシャッタ装置を内蔵したレンズ鏡筒およびこの組立方法に関するものである。
【背景技術】
【０００２】
従来のシャッタ装置を内蔵したレンズ鏡筒を、特許文献１に基づいて説明すると、シャッタ装置が組み込まれた、例えばズームレンズ鏡筒は、図５に示すように、前部鏡筒１の前端部側には、平面ガラス２が固定されている。
そして、前部鏡筒１の内部には、ピント調整するための１群レンズ３が、移動枠４に取り付けられている。
前記１群レンズ３を取り付けた移動枠４は、ガイドバー１０、１１に支持されて１群レンズ３の光軸に対して平行移動可能になっている。
【０００３】
また、シャッタ装置５は、ズーミングレンズからなる２群レンズ６直前に位置するように、移動枠７に固定されている。そして、２群レンズ６を取り付けた移動枠７は、シャッタ装置５と共に、１群レンズ３と同様にガイドバー１０、１１に支持されて２群レンズ６の光軸に対して平行移動可能になっている。
また、２群レンズ６の後方には、第３群レンズ８を取り付けた後部鏡筒９が配設されている。
【０００４】
また、シャッタ装置５は、複数のシャッタ羽根（図示せず）を駆動させて、２群レンズ６を透過する光を遮蔽可能または光量調整可能なアクチュエータ（図示せず）が２群レンズ６側である後方側に突出して形成されている。
【特許文献１】特開２０００−３１０８０３号公報
【発明の開示】
【発明が解決しようとする課題】
【０００５】
前述したような従来のシャッタ装置を内蔵したレンズ鏡筒は、シャッタ装置５の外周部を後部鏡筒９内部に配設した一対のガイドバー１０、１１で支持していたので、外径が大きくなる問題があった。
また、シャッタ装置５を２群レンズ６の直前に配置すると共に、複数のシャッタ羽根を駆動するためのアクチュエータ（図示せず）が、２群レンズ側に突出形成されているために、２群レンズを薄くして薄型化を行おうとしても、シャッタ装置５から後方側に突出するアクチュエータが邪魔となって、シャッタ装置を内蔵したレンズ鏡筒を薄型化するのに障害となる問題があった。
本発明は前述のような課題を解決し、鏡筒部に形成した窓部から挿入したシャッタ装置が、シャッタ支持部に位置して抜け止めされるようにしたシャッタ装置を内蔵したレンズ鏡筒およびこの組立方法を提供することを目的とする。
【課題を解決するための手段】
【０００６】
上記課題を解決するための第１の解決手段として本発明のシャッタ装置を内蔵したレンズ鏡筒は、複数のレンズを内部に収納した鏡筒部と、この鏡筒部の前面側に形成されて所定の口径の開口部を有する前面壁と、前記開口部から入射する光を遮蔽可能なシャッタ羽根を有するシャッタ装置とを備え、前記鏡筒部内には、前記シャッタ装置を支持可能なシャッタ支持部が形成され、前記鏡筒部には、内部の前記シャッタ支持部につながって前記シャッタ装置を挿入可能な溝状の窓部が形成され、この窓部から挿入して前記シャッタ支持部に位置した前記シャッタ装置は、前記シャッタ支持部から抜け止めされることを特徴とする。
また、上記課題を解決するための第２の解決手段として前記シャッタ装置は、前記シャッタ羽根を支持する支持部材を有し、この支持部材には、外周側に内部が空洞状のアクチュエータ収納部が形成され、前記アクチュエータ収納部の空洞内部には、前記シャッタ羽根を駆動可能なアクチュエータが配設され、前記支持部材には、前記アクチュエータ収納部の内周側に凹状のレンズ嵌合部が形成され、前記窓部から挿入して前記シャッタ支持部に位置した前記シャッタ装置は、前記レンズ嵌合部に前記複数のレンズの内の１つを嵌合させることにより、前記シャッタ支持部から抜け止めされることを特徴とする。
また、上記課題を解決するための第３の解決手段として、前記複数のレンズは、少なくとも１群、２群レンズからなり、前記前面壁の前記開口部を形成した部分に前記１群レンズを保持し、前記シャッター支持部は、所定寸法の隙間を介して前記前面壁と対向するレンズ支持壁との間に形成され、前記レンズ支持壁に支持した前記２群レンズが前記シャッタ装置の前記レンズ嵌合部に嵌合するようになっていることを特徴とする。
【０００７】
また、上記課題を解決するための第４の解決手段として、前記２群レンズは、外周側に平坦状の鍔部と、この鍔部の内側に所定寸法の直径と高さで突出するレンズ部とを有し、このレンズ部を前記レンズ支持壁に形成したレンズ支持孔に嵌合支持すると、前記２群レンズの前記レンズ部が、前記レンズ支持孔から前記シャッタ支持部側に突出して前記レンズ嵌合部に嵌合することを特徴とする。
また、上記課題を解決するための第５の解決手段として、前記シャッタ装置の外周部には、前記シャッタ支持部に抜け止めした前記シャッタ装置の動きを規制するための規制部が形成され、前記シャッタ支持部を形成した部分の前記鏡筒部の内周面には、前記規制部が係合可能な係合部、または前記規制部に係合可能な係合部が形成されていることを特徴とする。
また、上記課題を解決するための第６の解決手段として、前記規制部は、前記シャッタ装置の外周部の一部を凸状に突出させて形成され、前記係合部は、前記凸状の規制部が係合可能な凹状に形成され、前記シャッタ支持部に前記抜け止めした前記シャッタ装置は、前記規制部が前記係合部に係合して、回り止めが行われると共に、前記光軸と平行方向のガタ付きが規制されることを特徴とする。
【０００８】
また、上記課題を解決するための第７の解決手段として本発明のシャッタ装置を内蔵したレンズ鏡筒の組立方法は、鏡筒部に形成した窓部から内部のシャッタ支持部にシャッタ装置を挿入後、前記シャッタ装置のシャッタ羽根が位置する部分に形成したレンズ嵌合部に、複数のレンズの内の１つを嵌合させることにより、前記シャッタ支持部から前記シャッタ装置が抜け止めされるようにしたことを特徴とする。
また、上記課題を解決するための第８の解決手段として、前記鏡筒部には、前面側に形成されて所定の口径の開口部を有する前面壁と、この前面壁に対し所定の隙間の前記シャッタ支持部を介して対向形成したレンズ支持壁とが形成され、前記前面壁の前記開口部を形成した部分に１群レンズを支持して、前記シャッタ支持部に前記シャッタ装置を挿入した後、前記レンズ支持壁に２群レンズを支持すると、前記２群レンズが前記シャッタ装置のレンズ嵌合部に嵌合して前記抜け止めされることを特徴とする。
また、上記課題を解決するための第９の解決手段として、前記シャッタ装置には、規制部が形成され、前記窓部から前記シャッタ支持部に前記シャッタ装置を挿入すると、前記規制部が前記シャッタ支持部の内周面に形成した係合部に係合して前記シャッタ装置の動きが規制されることを特徴とする。
【発明の効果】
【０００９】
本発明に係わるレンズ鏡筒の鏡筒部内には、シャッタ装置を支持可能なシャッタ支持部が形成され、鏡筒部には、内部のシャッタ支持部につながってシャッタ装置を挿入可能な溝状の窓部が形成され、この窓部から挿入してシャッタ支持部に位置したシャッタ装置は、シャッタ支持部から抜け止めされるので、外部から振動等が加わったとしても、シャッタ支持部に挿入したシャッタ装置が抜け出すことがない。
また、シャッタ羽根を支持する支持部材には、アクチュエータ収納部の内周側にレンズ嵌合部が形成され、窓部から挿入してシャッタ支持部に位置したシャッタ装置は、レンズ嵌合部に複数のレンズの内の１つを嵌合させることにより、シャッタ支持部から抜け止めされるので、組立時に、レンズを組み込むことでシャッタ装置を抜け止めすることができ組立性に優れたシャッタ装置を内蔵したレンズ鏡筒を提供できる。
また、複数のレンズは、少なくとも１群、２群レンズからなり、前面壁の開口部を形成した部分に１群レンズを保持し、シャッター支持部は、所定寸法の隙間を介して前面壁と対向するレンズ支持壁との間に形成され、レンズ支持壁に支持した２群レンズがシャッタ装置のレンズ嵌合部に嵌合するようになっているので、２群レンズでシャッタ装置を確実に抜け止めすることができる。
また、２群レンズは、シャッタ装置のレンズ嵌合部に嵌合させることで鏡筒部内に支持することができ、少なくとも２群レンズの外径寸法をシャッタ装置の外径寸法より小さくできる。そのために、レンズ鏡筒を小型にできる。
【００１０】
また、２群レンズは、外周側に平坦状の鍔部と、この鍔部の内側に所定寸法の直径と高さで突出するレンズ部とを有し、このレンズ部をレンズ支持壁に形成したレンズ支持孔に嵌合支持すると、２群レンズのレンズ部が、レンズ支持孔からシャッタ支持部側に突出してシャッタ装置のレンズ嵌合部に嵌合するので、簡単な組立でシャッタ装置を確実にシャッタ支持部から抜け止めすることができる。
また、シャッタ装置の外周部には、シャッタ支持部に抜け止めしたシャッタ装置の動きを規制するための規制部が形成され、シャッタ支持部を形成した部分の前記鏡筒部の内周面には、規制部が係合可能な係合部、または規制部に係合可能な係合部が形成されているので、シャッタ支持部に挿入して２群レンズで抜け止めしたシャッタ装置を確実に回り止めすることができる。
また、規制部は、シャッタ装置の外周部の一部を凸状に突出させて形成され、係合部は、凸状の規制部が係合可能な凹状に形成され、シャッタ支持部に抜け止めしたシャッタ装置は、規制部が係合部に係合して、回り止めが行われると共に、光軸と平行方向のガタ付きが規制されるので、外部から振動等が加えられても、シャッタ装置の動きを規制して、正常なシャッタ動作を行うことができる。
【００１１】
また、本発明の組立方法は、鏡筒部に形成した窓部から内部のシャッタ支持部にシャッタ装置を挿入後、シャッタ装置のシャッタ羽根が位置する部分に形成したレンズ嵌合部に、複数のレンズの内の１つを嵌合させることにより、シャッタ支持部からシャッタ装置が抜け止めされるようにしたので、簡単な組立でシャッタ装置をシャッタ支持部から抜け止めすることができる。
また、前面壁の開口部を形成した部分に１群レンズを支持して、シャッタ支持部にシャッタ装置を挿入した後、レンズ支持壁に２群レンズを支持すると、２群レンズがシャッタ装置のレンズ嵌合部に嵌合して抜け止めされるので、組立が容易である。
また、シャッタ装置には、規制部が形成され、窓部からシャッタ支持部にシャッタ装置を挿入すると、規制部がシャッタ支持部の内周面に形成した係合部に係合してシャッタ装置の動きが規制されるので、簡単な組立でシャッタ装置の動きを規制することができる。
【発明を実施するための最良の形態】
【００１２】
以下、本発明に関するシャッタ装置を内蔵したレンズ鏡筒およびこの組立方法を図１〜図３に基づいて説明する。図１は本発明のシャッタ装置を内蔵したレンズ鏡筒の分解斜視図であり、図２は図１の要部断面図であり、図３は本発明に係わる鏡筒部を説明する図である。
【００１３】
まず、本発明のシャッタ装置を内蔵したレンズ鏡筒の１実施の形態を、図１〜図３に基づいて説明すると、シャッタ装置２１は、外形が略円形状に形成されたトップカバー２２を有し、このトップカバー２２の略中央部の下面側には、シャッタ羽根２３が配設されている。
前記シャッタ羽根２３は、ベース部材２４に載置されて、ベース部材２４に形成した所定の口径からなる第１開口部２４ａを開閉可能になっている。
【００１４】
前記ベース部材２４のシャッタ羽根２３を載置する部分の外周側には、図示下方側に凸状に突出して内部が空洞状のアクチュエータ収納部２４ｂが形成され、このアクチュエータ収納部２４ｂの空洞内部に、シャッタ羽根２３を駆動して第１開口部２４ａを遮蔽可能なアクチュエータ（図示せず）が配設されている。
このアクチュエータは、図示を省略するが、例えば薄板状に巻回したコイルと、このコイルと対向する側に配設した薄板状のマグネットとが配設され、コイルに通電することにより発生する磁束が、マグネットの磁束に作用して、マグネットを取り付けたリンク部材がシーソー状に回動するようになっている。
【００１５】
そして、リンク部材が回動すると、リンク部材の端部に形成した羽根支持部がシャッタ羽根２３を操作して、シャッタ羽根２３が第１開口部２４ａを開閉する方向に駆動するように構成されている。
また、ベース部材２４には、図１、図２に示すように、外周部の一部である図示右側から外向きに突出して凸状の規制部２４ｃが形成されている。
また、ベース部材２４の下部には、ドーナッツ状のボトムカバー２５が配設されて、アクチュエータ収納部２４ｂの下部が遮蔽されている。
【００１６】
前記シャッタ羽根２３を載置した側のベース部材２４の下面側で、アクチュエータ収納部２４ｂの内周側には、所定の大きさで凹状のレンズ嵌合部２６が形成され、このレンズ嵌合部２６を形成した部分のベース部材２４の中央部に第１開口部２４ａが形成されている。
また、アクチュエータ収納部２４ｂからは、内部のアクチュエータに接続されて、アクチュエータを構成するコイルに通電するためのＦＰＣ（フレキシブル基板）２７が外側に引き出しされている。
【００１７】
このような構成のシャッタ装置２１を内蔵可能なレンズ鏡筒２８は、樹脂材料で形成されて、内部に後述する複数のレンズ３１、３２、３３を収納する、形状が略円筒状の鏡筒部２９と、この鏡筒部２９の前面側（図示上方側）に形成されて第１開口部２４ａより口径が大きな第２開口部３０ａを有する前面壁３０とが形成されている。
また、鏡筒部２９内には、シャッタ装置２１を支持可能なシャッタ支持部２９ａが形成され、このシャッタ支持部２９ａは、所定寸法の隙間を介して前面壁３０と対向するレンズ支持壁２９ｂとの間に形成されている。
そして、レンズ支持壁２９ｂの中央部には、後述する２群レンズ３２が嵌合して支持可能なレンズ支持孔２９ｃが貫通形成されている。
【００１８】
また、鏡筒部２９には、内部のシャッタ支持部２９ａにつながる窓部２９ｄが形成され、この窓部２９ｄは、シャッタ装置２１の厚さ寸法より若干広い溝状に形成されて、窓部２９ｄからシャッタ装置２１をシャッタ支持部２９ａに挿入可能になっている。
また、シャッタ支持部２９ａを形成した部分の鏡筒部２９の内周面で、窓部２９ｄと対向するシャッタ支持部２９ｄの奥側には、シャッタ装置２１の規制部２４ｃが係合可能な凹状の係合部２９ｅが形成されている。この係合部２９ｅは、鏡筒部２９の外周壁を貫通する孔で構成されている。
【００１９】
また、前面壁３０には、中央部にシャッタ装置２１の第１開口部２４ａより口径が大きな第２開口部３０ａが形成され、この第２開口部３０ａを形成した部分の前面壁３０の内面側には、円形状に彫り込みしてレンズ支持部３０ｂが形成されている。
そして、前面壁３０のレンズ支持部３０ｂには、接眼レンズである１群レンズ３１が圧入等で支持されている。
【００２０】
また、鏡筒部２９内部のレンズ支持壁２９ｂのレンズ支持孔２９ｃには、２群レンズ３２が支持可能になっている。
前記２群レンズ３２は、図１、図２に示すように、外周部側に平坦状の鍔部３２ａと、この鍔部３２ａの内側に所定寸法の直径と高さで突出させたレンズ部３２ｂとが形成されている。
前記レンズ部３２ｂをレンズ支持壁２９ｂに形成したレンズ支持孔２９ｃに圧入等により嵌合支持すると、レンズ部３２ｂがレンズ支持孔２９ｃから所定寸法シャッタ支持部２９ａ側に突出する。
【００２１】
そして、レンズ支持孔２９ｃから所定寸法シャッタ支持部２９ａ側に突出するレンズ部３２ｂが、シャッタ支持部２９ａに位置するシャッタ装置２１のレンズ嵌合部２６に嵌合するようになっている。
このことにより、シャッタ支持部２９ａに位置するシャッタ装置２１が、シャッタ支持部２９ａから抜け止めされるようになっている。
【００２２】
また、２群レンズ３２の図示下部には、３群レンズ３３が配設され、この３群レンズ３３は、外周部の段差状の位置決め部３３ａが２群レンズ３２の鍔部３２ａの外周部に嵌合して位置決めさるようになっている。
また、３群レンズ３３の図示下部には、ストッパ部材（図示せず）が配設されており、このストッパ部材によって、２群、３群レンズ３２、３３が鏡筒部２９内部から抜け止めされている。
【００２３】
また、図示を省略したストッパ部材の後方で、レンズ３１、３２、３３のそれぞれ同一線上に位置合わせした光軸（図示せず）上に、ＣＣＤあるいはＣＭＯＳ等からなる撮像素子（図示せず）を配設することにより、本発明のシャッタ装置を内蔵したレンズ鏡筒を用いたカメラ装置（図示せず）が構成されている。
【００２４】
前述したような本発明のシャッタ装置を内蔵したレンズ鏡筒は、２群レンズ３２がレンズ支持壁２９ｂのレンズ支持孔２９ｃに嵌合支持することができるので、２群、３群レンズ３２、３３の外径寸法をシャッタ装置の外径寸法と同じか、それより小さくすることができる。
そのために、鏡筒部２９の外径寸法をシャッタ装置２１の外径寸法に近い値まで小さくすることができる。
【００２５】
また、レンズ支持孔２９ｃに嵌合支持した２群レンズ３２によって、シャッタ支持部２９ａに挿入して位置するシャッタ装置２１を抜け止めすることができる。また、規制部２４ｃによって、シャッタ支持部２９ａに位置するシャッタ装置２１の回り止めが行われると共に、光軸方向へのガタ付きが規制されるようになっている。
そのために、本発明のシャッタ装置を内蔵したレンズ鏡筒を用いたカメラ（図示せず）を誤って机の上等に落下させたとしても、シャッタ装置２１がシャッタ支持部２９ａから抜け出したり、回転したりするのを防止できる。
【００２６】
また、シャッタ装置２１のレンズ嵌合部２６に、２群レンズ３２のレンズ部３２ｂを嵌合させているので、レンズ鏡筒２８の図示高さ方向の寸法を小さくする薄型化が可能である。
また、本発明の実施の形態の説明では、シャッタ装置２１の規制部２４ｃを凸状に形成すると共に、係合部２９ｅを凹状に形成して、規制部２４ｃが係合部２９ｅに係合することで説明したが、規制部２４ｃを凹状に形成し、係合部２９ｅを凸状に形成し、凹状の規制部２４ｃに凸状の係合部２９ｅを係合させるようにしたものでも良い。
即ち、鏡筒部２９の内周面には、規制部２４ｃが係合可能な係合部２９ｅ、または規制部２４ｃに係合可能な係合部２９ｅが形成されている。
【００２７】
また、シャッタ装置２１のレンズ嵌合部２６に、２群レンズ３２を嵌合させることで説明したが、２群レンズ３２を１群レンズ３１に近づけて配設し、２群レンズ３２と３群レンズ３３との間にシャッタ装置２１を配設し、シャッタ装置２１のレンズ嵌合部２６に、３群レンズ３３を嵌合させるようにしたものでも良い。
即ち、シャッタ装置２１は、レンズ嵌合部２６に複数のレンズ３１、３２、３３の内の１つを嵌合させることにより、シャッタ支持部２９ａから抜け止めされるようにしたものでも良い。
【００２８】
また、本発明のシャッタ装置を内蔵したレンズ鏡筒の組立方法を図面に基づいて説明すると、まずレンズ鏡筒２８の前面壁３０に形成したレンズ支持部３０ｂに１群レンズ３１を圧入等で支持する。
次ぎに、事前に組立しておいたシャッタ装置２１を、鏡筒部２９に形成した窓部２９ｂから内部のシャッタ支持部２９ａに挿入する。
すると、シャッタ装置２１の回り止め部２４ｃが係合部２９ｅに嵌合して、シャッタ装置２１が回り止めされると共に、図示上下方向（光軸方向）のガタ付き防止を行うことができる。
【００２９】
次ぎに、レンズ支持壁２９ｂのレンズ支持孔２９ｃに２群レンズ３２のレンズ部３２ｂを圧入等で嵌合支持すると、レンズ支持孔２９ｃからレンズ部３２ｂが所定寸法突出して、シャッタ装置２１のレンズ嵌合部２６に嵌合する。
このことにより、窓部２９ｄから挿入してシャッタ支持部２９ａに位置したシャッタ装置２１が、レンズ部３２ｂによってシャッタ支持部２９ａから抜け止めされる。また、シャッタ装置２１の規制部２４ｃが係合部２９ｅに係合して、シャッタ装置２１の回り止めと、光軸方向へのガタ付き規制とが行われる。
次ぎに、レンズ支持壁２９ｂに支持した２群レンズ３２の鍔部３２ａの外周部に３群レンズ３３の位置決め部３３ａを嵌合支持する。
【００３０】
その後、鏡筒部２９の内部に圧入したストッパ（図示せず）で、３群レンズ３３を後方から押圧することにより、本発明のシャッタ装置を内蔵したレンズ鏡筒が組み立てられている。
このように組み立てられたレンズ鏡筒２８は、シャッタ装置２１及びそれぞれのレンズ３１、３２、３３の動きが規制されているので、ＣＣＤ等の撮像素子を搭載したカメラ装置（図示せず）に組み付けるのが容易である。
【図面の簡単な説明】
【００３１】
【図１】本発明のシャッタ装置を内蔵したレンズ鏡筒の分解斜視図である。
【図２】図１の要部断面図である。
【図３】本発明に係わるレンズ鏡筒を説明する図面である。
【図４】従来のシャッタ装置を内蔵したレンズ鏡筒の要部断面図である。
【符号の説明】
【００３２】
２１  シャッタ装置
２２  トップカバー
２３  シャッタ羽根
２４  ベース部材
２４ａ  第１開口部
２４ｂ  アクチュエータ収納部
２５  ボトムカバー
２６  レンズ嵌合部
２７  ＦＰＣ
２８  レンズ鏡筒
２９  鏡筒部
２９ａ  シャッタ支持部
２９ｂ  レンズ支持壁
２９ｃ  レンズ支持孔
２９ｄ  窓部
２９ｅ  係合部
３０  前面壁
３１  １群レンズ
３２  ２群レンズ
３３  ３群レンズ
【図１】
2006047364.tif 000003
【図２】
2006047364.tif 000004
【図３】
2006047364.tif 000005
【図４】
2006047364.tif 000006